(57)【特許請求の範囲】
【請求項１】
底板（１８）を中心として、その横方向には両外側から底板に向けて左・右中底板（５，３１）と左・右上底板（８，２８）と左・右中仕切板（１０，２３）と左・右天井板（１４，２２）及び左・右側板（１５，１９）を連接して略対称的に配置し、また縦方向には底板から両外側に向けて上・下側板（３６，４２）と上・下蓋板（３７，４３）を連接し、引続き上・下蓋板には差し込みフラップ（３９）と上折返し片（４１）及び下折返し片（４６）と抜け止めフラップ（４７）を連接して略対称的に配置すると共に、各方向に展開した部材が境界線を介して十字形を呈する様に構成展開し、
左・右横方向部材と上・下縦方向部材を夫々の両端より内向きに折曲げて糊代（６，９，２７，３０，４０，４５）を相手部材に固定した後、横方向部材の左・右側板（１５，１９）を折曲げて非接着部分の連接部材を連鎖起立せしめて底板（１８）の両端に側面が方形状の区画（４８，４９）を形成し、その区画に自立手段と収納物の動揺規制手段を備えると共に、両区画に挟まれる部分に縦方向部材の上・下側板（３６，４２）の折曲げにつれ先端が浮き上がる緩衝フラップ（７，２９）を内蔵し、
続いて上・下側板に連接する上・下蓋板（３７，４３）を順次折曲げて重ね、その上蓋板に連接し上折返し片（４１）を内面に接着固定した差し込みフラップ（３９）を下蓋板に設けた孔（４４）に挿入し、下蓋板に接着固定した下折返し片（４６）に連接する抜け止めフラップ（４７）に組合せることで開封防止手段としたことを特徴とする底緩衝機能付収納函。
【請求項２】
自立手段が横方向両端に位置する左・右中底板（５，３１）を上・下方向に切り込み、夫々を上・下に突出せしめると共に内側横方向に突部（３，４，３２，３３）を備えた左・右の上・下支持片（１，２，３４，３５）を起こして、区画（４８，４９）を構成する左・右中仕切板（１０，２３）の上・下に形成した切り欠き（１１，２４）に嵌め込み、その突部で嵌め込みが解除されぬ構成としたことを特徴とする請求項１に記載の底緩衝機能付収納函。
【請求項３】
収納物の動揺規制手段が区画（４８，４９）の構成部材である左・右中仕切板（１０，２３）及び左・右天井板（１４，２２）の横方向中心上に、その両板に跨がる一部分に切り込みを入れ左・右上底板（８，２８）から伸びる左・右連結片（１２，２６）に左・右中受け板（１３，２５）を連接し、区画が形成される過程で曲がらない左・右連結片の長さだけ横方向両端に折曲げ位置がずれた左・右中受け板を立て、左・右中仕切板及び左・右天井板を切り込み形成した方形と台形の部分を持つ多角形の中のＶ字斜面との中で、収納物の長さ方向の動揺を両端区画内に設けた中受け板で規制し、同様にＶ字の斜面で収納物の長さに直交する方向の動揺を規制する構成としたことを特徴とする請求項１か２に記載の底緩衝機能付収納函。
【請求項４】
開封防止手段が、下側板（４２）及び下蓋板（４３）を順次折曲げ、その下側板内面に下蓋板内面に接着固定した下折返し片（４６）に連接する抜け止めフラップ（４７）の先端が下蓋板に設けた孔（４４）周辺で接触して底板側に屈曲し、その接触部分に上折返し片（４１）を接着固定した差し込みフラップ（３９）を上折返し片が抜け止めフラップ端が通過するまで挿入すると上折返し片の端が抜け止めフラップの自由端と当接して抜け止めを構成することを特徴とする請求項１から３の何れかに記載の底緩衝機能付収納函。
【発明の詳細な説明】
【０００１】
【発明の属する技術分野】
本発明は、ガラス製の注射器やディスポタイプと呼ばれる合成樹脂製の内・外筒に予め薬液と注射針を装着した注射器の様な細長い物体の格納を目的とし、衝撃緩和と開封防止及び公害防止等の機能を備えた収納函に関する
【０００２】
【従来の技術】
顆粒や錠剤の形をした固体薬品の収納は、バイアルと呼ばれるガラス製の小瓶や樹脂フイルムによる個別包装が使用され、製造者から需要者に渡るまでの間の不正な開封を防止し、保管や移動に伴う取扱いを考慮して函に収納する。この函には収納物の長さ（前・後）と高さ（上・下）及び幅（左・右）の何れか方向に必要最小限の動揺規制と緩衝機能を付与する。
【０００３】
液体薬品の収納には細口の瓶の他にガラス製のアンプル等がある。大容量アンプルの場合は瓶と同様に個々に収納函を使用するが、小容量の場合は複数個をまとめて収納する為に、収納函の内部に仕切りを設けて区画を形成し、その区画内にアンプルを収容して収納物同士の接触を断ち、所要方向に対する緩衝機能を付与している。
【０００４】
薬品に比べ医療器材は形も大きく包装形態も多様であるが、使用頻度が高く消耗品的性格の器材の一つにガラスか合成樹脂を主材料とする注射器がある。ガラス製品は破損防止に備えて固定具付金属容器に入れて持ち運び、合成樹脂製品は医療現場で開封後に使用出来る様に、予め無菌下で外筒と内筒及び針を組合せアンプルを組合せて袋状の包装を施す。
【０００５】
合成樹脂製の注射器は用済み後に廃棄することからディスポタイプと呼ばれ、塩化ビニールやポリエチレンテレフタレート等の合成樹脂シートとロールまたは板状の台紙とを接着剤で貼り合わせた合成材による袋に入れ、抽気後にインパルスで熱接着して密封する。この収納物は僅かな外力で破損や変形を起こし使用不可能になる為に更に函に入れ医療現場へ届けられる。
【０００６】
【発明が解決しようとする課題】
この様な包装様式には問題点が含まれる。先ず包装材料に合成樹脂が含まれるので公害無しに廃棄物処理が難しく、注射器とアンプルを組合せて包装しているので開封後にアンプルを切り薬剤を充填する時間が掛かり、また包装方法が自動化の対象に向き難く、その他に袋が柔らかく移動の為の収納函を必要とする。この様な問題を解決する無公害材料から造られた自動処理可能な構造の収納函が望まれている。
【０００７】
【課題を解決するための手段】
本発明は上記の問題を解決し、紙を使用し全部材を連接した一体化構造とし、自動で組立と充填の処理の可能な底緩衝機能付収納函の提供を目的とする。
【０００８】
本発明は、底板を中心として、その横方向には両外側から底板に向けて左・右中底板と左・右上底板と左・右中仕切板と左・右天井板及び左・右側板を連接して略対称的に配置し、また縦方向には底板から両外側に向けて上・下側板と上・下蓋板を連接し、引続き上・下蓋板には差し込みフラップと上折返し片及び下折返し片と抜け止めフラップを連接して略対称的に配置すると共に、各方向に展開した部材が境界線を介して十字形を呈する様に構成展開し、
左・右横方向部材と上・下縦方向部材を夫々の両端より内向きに折曲げて糊代を相手部材に固定した後、横方向部材の左・右側板を折曲げて非接着部分の連接部材を連鎖起立せしめて底板の両端に側面が方形状の区画を形成し、その区画に自立手段と収納物の動揺規制手段を備えると共に、両区画に挟まれる部分に縦方向部材の上・下側板の折曲げにつれ先端が浮き上がる緩衝フラップを内蔵し、
続いて上・下側板に連接する上・下蓋板を順次折曲げて重ね、その上蓋板に連接し上折返し片を内面に接着固定した差し込みフラップを下蓋板に設けた孔に挿入し、下蓋板に接着固定した下折返し片に連接する抜け止めフラップに組合せることで開封防止手段としたことを特徴とする底緩衝機能付収納函である。
【０００９】
【発明の実施の形態】
本発明は、損傷し易い材料で細長い形状に造られた収納物を対象とし、特別な加工なしに紙製の折畳式ワンピース型収納函として、長さと奥行きと高さの三方向に対する動揺規制と緩衝機能を保持し密閉性と開封防止機能を備え、自動化ラインでの使用に応える構造の収納函である。
【００１０】
本収納函は紙を打ち抜いた組立前の展開図形において、全部材を略対称配置し隣接する何れか辺同士で連接する一体構成とした。本函の組立は接着剤の使用を減らし山折を基準とし、谷折が必要部分には糊代を介在させて固定し、山折の際の力を非固定の連接材を介して谷折部分に伝えて折れ曲げる構造としたので、包装機器に掛かる負担の軽減にも寄与した。
【００１１】
収納函は展開状態では横方向に細長く縦方向に太く短い十字形を呈し、横方向の連接部材を両端から底板に向け接着を交えて順次折曲げ、この過程で収納物の長さ（前・後）と高さ（上・下）及び幅（左・右）の三方向に対する動揺を規制する区画を函の両端に形成する。この区画内面の中仕切板の一部分を多角形に抜き、その抜き材で仕切板とは位置を変えた受け板を造り、接着部分に連接した突部付支持片で区画を固定する。
【００１２】
縦方向は上・下部材を接着処置した後に、底板を基準として連接部材を内側から外側に向け順次折曲げ、この過程で底板の横方向両端の区画に挟まれる上・下の張り出し部分を縦方向部材の折曲げで起こして緩衝フラップとして使用する。函の四隅は横方向部材の側板に連接した袖フラップと縦方向部材の側板が重複するので隙間が出来難く、この段階に組立が進むと収納物の格納が可能になる。
【００１３】
ディスポタイプの注射器は、予め針を装着しシリンダー（外筒）に薬液を充填しシリンダーの一部を含めた針全体に衛生処理をした保護筒を被せるので、針先からロッド（内筒）のグリップ端までは相当の長さとなる。本収納函はこの状態にある注射器の保護筒先端とグリップ端を区画の中仕切板と中受け板で支えて立体的に動揺を規制し、胴部二カ所を緩衝フラップで支えて円周方向に対する緩衝性を与える構成とした。
【００１４】
この函は注射器を収納後に、残る縦方向部材を順次折曲げ蓋を閉めると組立が完了する。蓋を二重として上蓋と差し込みフラップ及び上折返し片が連接し、その一部を折返し接着して二重貼合部分とする。同様に下蓋に連接した抜け止めフラップと下蓋の一部を折返して接着して二重貼合部分を形成し、下蓋を区画上に折曲げると抜け止めフラップ先端が側板と当接して折曲がる。上蓋の差し込みフラップを下蓋の孔から当接部分に差し込むと、この抜け止めフラップが差し込みフラップの戻りを防止し、蓋を壊さずに開封出来ない構造を形成する。
【００１５】
この様な構造で紙または紙相当材料から造る収納函は次の特徴を備える。一連の組立と充填の自動処理を可能としたので省力化に寄与し、組立完了後に立体的（三方向）な動揺規制と平面的（円周方向）な緩衝機能及び紙自体の持つ柔軟性との相乗効果で優れた耐衝撃性を備え、糊代を制限しつつ隅の密着性を向上し、不正開封を防止し廃棄処理を容易とした。収納函の用途は注射器のみに限定されることなく万年筆等の細長い物にも適用可能である。
【００１６】
【作用】
本発明になる底緩衝機能付収納函は、損傷し易い材料で細長い形状の収納物に対し、区画と緩衝フラップの動揺規制と緩衝機能及び紙の性質との相乗効果で優れた耐衝撃性を発揮する。
【００１７】
【実施例】
図１に底緩衝機能付収納函の展開図を、図２，３に図１に於ける横方向部材の接着と折曲げ加工の順序を示し、図４に図１に於ける縦方向部材の接着と折曲げ加工の順序を示し、図５〜８に接着以後の蓋を除く縦・横部材による組立の進行状態を斜視図で示し、図９で図８の蓋を開状態とした函に注射器を挿入した斜視図を、図１０〜１２に蓋を閉じ完成した収納函５０に至るまでの状態を断面図と斜視図とで示した。
【００１８】
図１に示す様に、底緩衝機能付収納函はブランクシートを打ち抜いてつくる際に、展開する各部材は隣接する部材の上・下と左・右の何れか辺同士と連接せしめ、底板１８を中心として上・下と左・右の各方向を略対称形として、十字を示す様に配置したので、細長い注射器の様な扱い難い物の収納函を自動で組立ると共に注射器の自動格納を可能とした。
【００１９】
横方向の左側部材は左中底板５に始まり、その左端に内側両端に突起３，４を備えた左上・下支持片１，２を連接し、続いて外側両端に丸み付左緩衝フラップ７を備えた左上底板８と上・下に切り欠き１１を備えた左中仕切板１０と左天井板１４と左側板１５及び底板１８を連接する。左中仕切板１０と左天井板１４に跨がる中央横向きで左上底板８から伸びる左連結片１２に続いて矩形と梯形を合成した六角形の左中受け板１３を配置し、左側板１５に左上・下袖フラップ１６，１７を連接する。
【００２０】
同様に右側部材は右中底板３１から始まり、その右端に内側両端に突起３２，３３を備えた右上・下支持片３４，３５が連接する。続いて外側両端が丸い右緩衝フラップ２９を備えた左上底板２８と上・下に切り欠き２４を備えた右中仕切板２３と右天井板２２と右側板１９及び底板１８を連接する。右中仕切板２３と右天井板２２に跨がり中央横向きで右上底板２８から伸びる右連結片２６と大き目の六角形の右中受け板２５を配置し、右側板１９には右上・下袖フラップ２０，２１を連接する。左・右中受け板１３，２５と緩衝フラップ７，２９と左・右上底板８，２８の各裏面の糊代９，２７を除き、底板１８に対する左・右部材は左・右中底板５，３１の裏面の糊代６，３０を含めて対称に配置する。
【００２１】
底板１８の上方向には上側板３６と切り欠き３８付上蓋板３７と差し込みフラップ３９と上折返し片４１を連接し、その差し込みフラップの裏面に糊代４０を、上蓋板３７には開封用分割線ｆを付与する。底板１８の下方向には下側板４２と罫線ｄの延長上を避けて開口した孔４４付下蓋板４３と下折返し片４６と抜け止めフラップ４７を連接し、その下蓋板の裏面に糊代４５を下蓋板と下側板には開封用分割線ｆを付与し、各部材間に各種形状の境界線ａ〜ｆを後述の様に配置した。
【００２２】
本底緩衝機能付収納函の組立手順の内の一つを示すと次の通りである。横方向は略左・右同形で組立手順も同様に進めてよく、図１の展開から進むと図２に示す様に、左・右糊代９，２７に接着剤を塗布し、左・右中底板５，３１を折曲げて左・右上底板８，２８上に被せ接着する。図２の状態を進めると図３に示す様に、左・右糊代６，３０に接着剤を塗布し、左・右天井板１４，２２を左・右側板１５，１９との連接部分から折り曲げて床板１８上に接着する。
【００２３】
図３の状態を進めると図４に示す様に、上・下糊代４０，４５に接着剤を塗布し上折返し片４１を折曲げて差し込みフラップ３９上に接着し、下折返し片４６を折曲げて下蓋板４３上に接着する。この状態で抜け止めフラップ４７の下端は下蓋板に開けた孔４４の上端を僅かに通り越し、下折返し片４６と抜け止めフラップ４７の連接部分が孔４４の略中央に来る長さに設定されている。
【００２４】
図４の状態を進めると図５に示す様に、左・右側板１５，１９を内側に折曲げると、糊代で固定した部材から連接する非接着部分の左・右中仕切板１０，２３及び左・右天井板１４，２２がリンクモーション様に動いて自動起立し、方形状の側面を持つ区画４８，４９を形成する。この区画の形成と同時に左・右上底板８，２８から中央横向きに伸びる左・右連結片１２，２６に連接した左・右中受け板１３，２５も左・右中仕切板１０，２３から少し離れて自動起立して壁を造る。
【００２５】
図５の状態を進めると図６に示す様に、左上・下と右上・下の支持片１，２，３４，３５を持ち上げ、突起３，４，３２，３３を切り欠き１１，２４に嵌め込むと、方形状の側面を持つ区画４８，４９が固定されて安定する。この区画の役割は左・右中仕切板１０，２３のＶ字状の切り欠き斜面により、格納した包装物を上・下と左・右を含む平面を安定に支えて動揺を規制し、左・右中受け板１３，２５による壁で前・後方向に対する動揺を規制する。この状態で収納物の格納は可能になる。
【００２６】
図６の状態を進めると図７に示す様に、左側板１５の左上・下袖フラップ１６，１７と右側板１９の右上・下袖フラップ２０，２１を折曲げると、横方向部材の組立が完了する。図７の状態を進めると図８に示す様に、底板１８寄りに上・下側板３６，４２を折曲げると、横方向部材の左・右緩衝フラップ７，２９は底板１８の幅よりも広く造られているので、側板に押されて自然に彎曲した状態となり収納物の胴体を支える緩衝材としての役割を果たす。
【００２７】
図９は図８の開蓋状態の収納函に注射器６０を格納した斜視図である。その注射器の針部分を保護する筒６１の先端を左中仕切板１０のＶ字状の切り欠き部分と左中受け板１３による壁で規制し、注射器６０のロッド６３（内筒）のグリップ端６４を右中仕切板２３のＶ字状の切り欠き部分と右中受け板２５による壁で規制し、シリンダー６２（外筒）の下面を緩衝フラップ７，２９で支える。受け部の役割は既述の通りで、紙自体の持つ柔軟性が緩衝フラップの働き及び切り欠き部分と壁による動揺規制とが相乗して優れた耐衝撃性を発揮し、特に下（底）方向に対する効果が大きい。
【００２８】
図８または９の状態を進めると図１０に示す様に、孔４４付下蓋板４３を折曲げて左・右天井板１４，２２上に被せると、抜け止めフラップ４７先端は下側板４２に触れた状態を保持したまま自然に折込まれる様に曲がり、この時に下折返し片４６との境界の罫線は孔４４の略中央に位置する。続いて上蓋板３７を下蓋板４３上に折曲げ、差し込みフラップ３９を孔４４に挿入し蓋を閉じると図１２の状態となり収納函５０の組立が完了する。
【００２９】
図１１（Ａ，Ｂ）において収納函４８の開封防止構造について説明する。差し込みフラップ３９の裏面に上折返し片４１を接着するので部分的に二重貼合を備える状態となり、この差し込みフラップを孔４４に挿入し二重貼合部分が下側板４２と抜け止めフラップ４７の間を通過し終わるまで押し込むと、この抜け止めフラップが差し込みフラップ３９の抜け止めとして働く。組立を手動で行う場合は確実に閉蓋したか否かの判断は上蓋の二重貼合部分が抜け止めフラップを通過する手応えまたは音で容易に認識出来る。
【００３０】
この開封防止は蓋を閉めると抜け止めフラップ４７の働きにより、函の外側から戻り止めを解除することの出来ない構造である。この為に収納物を取り出す手段として、開封用分割線ｆを抜け止めフラップ４７が当接する下側板４２に始まり上・下蓋板３７，４３にかけて付与し、側板の一部と蓋を切り離すことにより開封する構造とした。従って開封後の修復が出来ないので故意に収納物を交換したり損傷させる等の事故が起きる心配はない。
【００３１】
本発明による底緩衝機能付収納函５０は説明の様に、組立は折方を山折を主体に糊代を少なくし谷折部分は山折の動作に連動するリンクモーションを活用して折曲がる構造としたので、従来技術により造られた自動ラインの中で組立と充填を実施することに何等問題はなく、材料に紙を使用するので廃棄処理に伴う公害問題も解消した。この収納函は万年筆の様な細長い形状物に対して動揺を規制する区画の切り込み形状を変えることで対応出来る。
【００３２】
また各部材間の境界線は図１のａ〜ｆで示したが、この区分は隣接部材との境界線が切り離されている部分を切断線ａで、隣接部材との境界が切り離されてはならない部分を押罫線ｂで、隣接部材との境界が幅狭い所では折曲げ易くする為に一部か全部を半切り罫線ｃで、隣接部材との境界が幅広い所ではより折曲げ易くする為に密な鎖線付罫線ｄで、開封用分割線ｆ周辺に存在する境界の折曲げ部分では粗な鎖線付罫線ｅを付与し、折曲げ加工により函が変形しないように配慮した。
【００３３】
【発明の効果】
本発明になる底緩衝機能付収納函の使用により下記の効果を得た。
▲１▼収納箱は細長い形状物の先端と末端を立体的に支えて動揺規制し、中央を緩衝フラップで支持する構造とし、紙自体の持つ柔軟性との相乗作用により優れた耐衝撃性を備えることが出来た。
▲２▼部材を全て連接し極力折目方向を揃え糊代を減らし自動組立と充填が可能な構造としたので省力化に寄与した。
▲３▼横方向部材による組立終了時に、函内に収納物の固定に必要な区画を、縦方向部材の助けなしに自立する構造としたので充填操作を楽にした。
▲４▼縦方向部材の折曲げより横方向部材の緩衝フラップが起きる構造としたので緩衝能力が向上した。
▲５▼蓋に開封防止手段を設けたので格納品に対する安全性が向上した。
▲６▼紙を材料としたので廃棄処理時に起る公害問題を解決した。
【図面の簡単な説明】
【図１】  底緩衝機能付収納函の展開図である。
【図２】  図１の横方向部材の外側から組立を進めて折曲げと接着を終えた状態図である。
【図３】  図２の横方向部材の外側から組立を進めて折曲げと接着を終えた状態図である。
【図４】  図３の縦方向部材の外側から組立を進めて折曲げと接着を終えた状態図である。
【図５】  図４から組立を進めて横方向部材の側板を起こし、連接した部材により方形状の側面を持つ区画を形成した状態の斜視図である。
【図６】  図５から組立を進めて区画に支持片を差し込み自立させた状態の斜視図である。
【図７】  図６から組立を進めて袖フラップを閉じ横方向部材の組立が終了した状態の斜視図である。
【図８】  図７から組立を進めて底板側より縦方向部材の両側板を起こし緩衝フラップが浮いた状態の斜視図である。
【図９】  図７の函に注射器を格納した状態の斜視図である。
【図１０】  図８または９から組立を進めて下蓋を閉じ、孔に差し込みフラップを挿入する状態の斜視図である。
【図１１】  （Ａ）は図１０の状態で蓋の開封防止部分の矢印に沿う幅方向断面図を、（Ｂ）は（Ａ）の蓋が閉じられた状態の断面図である。
【図１２】  組立完了後の底緩衝機能付収納函の斜視図である。
【符号の説明】
１，３４                        左・右上支持片
２，３５                        左・右下支持片
３，４，３２，３３              突部
５，３１                        左・右中底板
６，９，２７，３０，４０，４５  糊代
８，２８                        左・右上底板
１０，２３                      左・右中仕切板
１１，２４，３８                切り欠き
１２，２６                      左・右連結片
１３，２５                      左・右中受け板
１４，２２                      左・右天井板
１５，１９                      左・右側板
１６，１７，２０，２１          袖フラップ
１８                            底板
３６，４２                      上・下側板
３７，４３                      上・下蓋板
３９                            差し込みフラップ
４１，４６                      上・下折返し片
４４                            孔
４７                            抜け止めフラップ
４８，４９                      左・右区画
５０                            底緩衝機能付収納函
６０                            注射器
ａ                              切断線
ｂ                              押罫線
ｃ                              半切り罫線
ｄ                              密鎖線付罫線
ｅ                              粗鎖線付罫線
ｆ                              開封用分割線
【図１】
0004256534.tif 000002
【図２】
0004256534.tif 000003
【図３】
0004256534.tif 000004
【図４】
0004256534.tif 000005
【図５】
0004256534.tif 000006
【図６】
0004256534.tif 000007
【図７】
0004256534.tif 000008
【図８】
0004256534.tif 000009
【図９】
0004256534.tif 000010
【図１０】
0004256534.tif 000011
【図１１】
0004256534.tif 000012
【図１２】
0004256534.tif 000013